(57)【要約】【課題】現有の技術における問題を改善する可動式タッチコントロールモジュール及びその電子機器を提供する。【解決手段】可動式タッチコントロールモジュール１２及び電子機器を開示する。本発明の可動式タッチコントロールモジュール１２は、本体に設置され、第一可動パーツ１２１、第二可動パーツ１２２、タッチコントロールユニット１２０、少なくとも四個の移動センサー素子１２６及び少なくとも２個の回転センサー素子１２８を備える。第一可動パーツ１２１は、本体に対応する平面上において回転する。第二可動パーツ１２２は第一可動パーツ１２１に設置され、且つ、第一可動パーツ１２１に対応し、第一方向に沿って移動する。タッチコントロールユニット１２０は第二可動パーツ１２２に設置され、且つ、第二可動パーツ１２２に対応し、第二方向に沿って移動する。【選択図】図３
2011227900.tif 000002
【特許請求の範囲】
【請求項１】
本体に設置される可動式タッチコントロールモジュールであって、
前記可動式タッチコントロールモジュールは、
本体に設置され、且つ、前記本体に対応する平面上において回転する第一可動パーツと、
前記第一可動パーツに設置され、且つ、前記第一可動パーツに対応して第一方向に沿って移動する第二可動パーツと、
前記第二可動パーツに設置され、且つ、前記第二可動パーツに対応して第二方向に沿って移動するタッチコントロールユニットと、
前記本体に固定される少なくとも四個の移動センサー素子と、
前記本体に固定される少なくとも二個の回転センサー素子とを備えて、
前記第一可動パーツが前記平面上において回転するとき、前記第一可動パーツは、前記回転センサー素子のうちの一つを触発し、前記第二可動パーツが前記第一方向に沿って移動するとき、前記第二可動パーツは、前記移動センサー素子のうちの一つを触発し、前記タッチコントロールユニットが前記第二方向に沿って移動するとき、前記タッチコントロールユニットは、前記移動センサー素子のうちの一つを触発することを特徴とする、可動式タッチコントロールモジュール。
【請求項２】
前記第一方向は、前記第二方向に垂直であることを特徴とする、請求項１に記載の可動式タッチコントロールモジュール。
【請求項３】
前記本体は、回路板及びハウジングを備え、前記ハウジングは、収納エリアを有して、前記第一可動パーツ、前記第二可動パーツ及び前記タッチコントロールユニットは、前記収納エリアに重ねて設置され、前記回路板は、前記ハウジング内に設置され、前記移動センサー素子及び前記回転センサー素子は、前記回路板に固定されることを特徴とする、請求項１に記載の可動式タッチコントロールモジュール。
【請求項４】
前記本体は、さらに複数のスプリングパーツを備え、
前記スプリングパーツは、前記ハウジングに設けられることを特徴とする、請求項３に記載の可動式タッチコントロールモジュール。
【請求項５】
さらに、二個のワンタッチスイッチを備えて、前記ワンタッチスイッチは、前記本体に固定されて、且つ、前記タッチコントロールユニットが前記ワンタッチスイッチを覆うことを特徴とする、請求項１に記載の可動式タッチコントロールモジュール。
【請求項６】
前記タッチコントロールユニットは、タッチパッドケース、タッチパッド及びタッチパッド保護カバーを備え、
前記タッチパッド及び前記タッチパッド保護カバーは、前記タッチパッドケース内に重ねて設置され、且つ、前記タッチパッド保護カバーは、前記第二可動パーツに設置されることを特徴とする、請求項１に記載の可動式タッチコントロールモジュール。
【請求項７】
前記タッチコントロールユニットは、第一接続部を有し、前記第二可動パーツは、第二接続部を有しており、
前記第一接続部は前記第二方向に沿って移動可能な形式で前記第二接続部に接続されることを特徴とする、請求項１に記載の可動式タッチコントロールモジュール。
【請求項８】
前記第二可動パーツは、第三接続部を有し、前記第一可動パーツは、第四接続部を有しており、
前記第三接続部は、前記第一方向に沿って移動可能な形式で前記第四接続部に接続されることを特徴とする、請求項１に記載の可動式タッチコントロールモジュール。
【請求項９】
前記第一可動パーツは、本体部及び少なくとも二個の回転触発部を有し、前記回転触発部は、前記本体部の両端に突出することを特徴とする、請求項１に記載の可動式タッチコントロールモジュール。
【請求項１０】
本体と、
可動式タッチコントロールモジュールを備える電子機器であって、
前記可動式タッチコントロールモジュールは、本体に設置されて、且つ、前記本体に対応する平面上において回転する第一可動パーツと、
前記第一可動パーツに設置され、且つ、前記第一可動パーツに対応して第一方向に沿って移動する第二可動パーツと、
前記第二可動パーツに設置され、且つ、前記第二可動パーツに対応して第二方向に沿って移動するタッチコントロールユニットと、
前記本体に固定される少なくとも四個の移動センサー素子と、
前記本体に固定される少なくとも二個の回転センサー素子とを備えて、
前記第一可動パーツが前記平面上において回転するとき、前記第一可動パーツは、前記回転センサー素子のうちの一つを触発し、前記第二可動パーツが前記第一方向に沿って移動するとき、前記第二可動パーツは、前記移動センサー素子のうちの一つを触発し、前記タッチコントロールユニットが前記第二方向に沿って移動するとき、前記タッチコントロールユニットは、前記移動センサー素子のうちの一つを触発することを特徴とする、電子機器。
【請求項１１】
前記第一方向は、前記第二方向に垂直であることを特徴とする、請求項１０に記載の電子機器。
【請求項１２】
前記本体は、回路板及びハウジングを備え、前記ハウジングは、収納エリアを有して、前記第一可動パーツ、前記第二可動パーツ及び前記タッチコントロールユニットは、前記収納エリアに重ねて設置され、前記回路板は、前記ハウジング内に設置され、前記移動センサー素子及び前記回転センサー素子は、前記回路板に固定されることを特徴とする請求項１０に記載の電子機器。
【請求項１３】
前記本体は、さらに複数のスプリングパーツを備えて、前記スプリングパーツは、前記ハウジングに設けられることを特徴とする、請求項１２に記載の電子機器。
【請求項１４】
前記可動式タッチコントロールモジュールは、さらに二個のワンタッチスイッチを備え、
前記ワンタッチスイッチは、前記本体に固定され、且つ、前記タッチコントロールユニットが前記ワンタッチスイッチを覆うことを特徴とする、請求項１０に記載の電子機器。
【請求項１５】
前記タッチコントロールユニットは、タッチパッドケース、タッチパッド及びタッチパッド保護カバーを備え、
前記タッチパッド及び前記タッチパッド保護カバーは、前記タッチパッドケース内に重ねて設置され、且つ、前記タッチパッド保護カバーは、前記第二可動パーツに設置されることを特徴とする請求項1０に記載の電子機器。
【請求項１６】
前記タッチコントロールユニットは、第一接続部を有し、前記第二可動パーツは、第二接続部を有しており、
前記第一接続部は前記第二方向に沿って移動可能な形式で前記第二接続部に接続されることを特徴とする、請求項１０に記載の電子機器。
【請求項１７】
前記第二可動パーツは、第三接続部を有し、前記第一可動パーツは、第四接続部を有しており、
前記第四接続部は、前記第二方向に沿って移動可能な形式で前記第三接続部に接続されることを特徴とする、請求項１０に記載の電子機器。
【請求項１８】
前記第一可動パーツは、本体部及び少なくとも二個の回転触発部を有し、
前記回転触発部は、前記本体部の両端に突出することを特徴とする、請求項１０に記載の電子機器。
【請求項１９】
前記電子機器は、ノートパソコンであることを特徴とする、請求項１０に記載の電子機器。
【発明の詳細な説明】
【技術分野】
【０００１】
本発明は、入力装置に関し、特に、可動式タッチコントロールモジュール及びその電子機器に関する。
【背景技術】
【０００２】
科学技術の進歩に伴い、ノートパソコン、携帯情報端末及び映像・音声再生装置等の電子機器は、すでに現代社会において欠かせないツールとなっている。また、市場における消費者のニーズもますます高くなっており、電子機器の機能性が重視されるのは言うまでもなく、設計や製品形態も消費者が製品を購入する際の大きな要素となっている。
【０００３】
ノートパソコンの場合を例に挙げると、現在のノートパソコンは通常マウスの役割を果たすタッチパッドが設置されている。しかしながら、現有のタッチパッドは、通常ノートパソコンの本体に固定されており、ユーザーの好みに合った新しいユニークなデザインや、例えば移動または回転等の視覚的な操作をユーザーに提供することができない。また、ノートパソコンの表示スクリーンの大きさが足りないとき、ユーザーは画面を上下左右を移動させて閲覧することになる。しかしながら、現在のタッチパッドでは、上記の操作を迅速に行うことは難しい。
【発明の概要】
【発明が解決しようとする課題】
【０００４】
したがって、本発明は、現有の技術における問題を改善する可動式タッチコントロールモジュール及びその電子機器を提供することを課題とする。
【課題を解決するための手段】
【０００５】
上記課題を解決するために、本発明は、現有の技術における問題を改善する可動式タッチコントロールモジュール及びその電子機器を提供することを目的とする。
【０００６】
上記目的を達成するために、本発明の可動式タッチコントロールモジュールは、本体に設置される。本発明の可動式タッチコントロールモジュールは、第一可動パーツ、第二可動パーツ、タッチコントロールユニット、少なくとも四個の移動センサー素子及び少なくとも二個の回転センサー素子を備える。第一可動パーツは、本体に設置され、且つ、本体に対応する平面上において回転する。第二可動パーツは、第一可動パーツに設置され、且つ、第一可動パーツに対応して第一方向に沿って移動する。タッチコントロールユニットは、第二可動パーツに固定され、且つ、第二可動パーツに対応して第二方向に沿って移動する。移動センサー素子及び回転センサー素子は、本体に固定される。第一可動パーツが平面において回転するとき、第一可動パーツは、前記回転センサー素子のうち一つを触発する。第二可動パーツが第一方向に沿って移動するとき、第二可動パーツは、前記移動センサー素子のうちの一つを触発する。タッチコントロールユニットが、第二方向に沿って移動するとき、タッチコントロールユニットは、前記移動センサー素子のうちの一つを触発する。
【０００７】
上記目的を達成するために、本発明の電子機器は、本体及び可動式タッチコントロールモジュールを備える。可動式タッチコントロールモジュールは、本体に設置され、且つ、第一可動パーツ、第二可動パーツ、タッチコントロールユニット、少なくとも四個の移動センサー素子及び少なくとも二個の回転センサー素子を備える。第一可動パーツは、本体に設置され、且つ、本体に対応する平面上において回転する。第二可動パーツは、第一可動パーツに設置され、且つ、第一可動パーツに対応して第一方向に沿って移動する。タッチコントロールユニットは、第二可動パーツに固定され、且つ、第二可動パーツに対応して第二方向に沿って移動する。移動センサー素子及び回転センサー素子は、本体に固定される。第一可動パーツが平面上において回転するとき、第一可動パーツは、前記回転センサー素子のうちの一つを触発する。第二可動パーツが第一方向に沿って移動するとき、第二可動パーツは、前記移動センサー素子のうちの一つを触発する。タッチコントロールユニットが第二方向に沿って移動するとき、タッチコントロールユニットは、前記移動センサー素子のうちの一つを触発する。
【０００８】
本発明が提供する可動式タッチコントロールモジュールの第一可動パーツは、本体に対応する平面上において回転し、第二可動パーツは、第一可動パーツに対応して第一方向に沿って移動し、且つ、タッチコントロールユニットは、第二可動パーツに対応して第二方向に沿って移動する。これにより、使用者は、タッチコントロールユニットを操作して、第二方向に沿って移動させるか、または、第二可動パーツを動かして第一方向に沿って移動させることにより、異なる移動センサー素子を触発させることが可能である。また、使用者は、タッチコントロールユニットを操作して第一可動パーツを動かし、この平面に沿って回転させて異なる回転センサー素子を触発することにより、各種機能を実現させることが可能である。このように、本発明が提供する可動式タッチコントロールモジュール及びそれを応用した電子機器は、全く新しいオリジナル設計による技術を提供すると同時に、迅速で効果的な操作が行える。
【発明の効果】
【０００９】
本発明が提供する可動式タッチコントロールモジュール及びそれを応用した電子機器は、全く新しいオリジナル設計による技術を提供すると同時に、迅速で効果的な操作が行える。
【００１０】
この発明の上述の目的、その他の目的、特徴及び利点は、図面を参照して行う以下の発明を実施するための形態の説明から一層明らかとなろう。
【図面の簡単な説明】
【００１１】
【図１】本発明の好適な実施の形態における電子機器を示した図である。
【図２】本発明の好適な実施の形態における電子機器の部分平面図(上から見た図)である。
【図３】本発明の好適な実施の形態における電子機器の部分分解図である。
【図４Ａ】本発明の好適な実施の形態における可動式タッチコントロールモジュールの部分組立図である。
【図４Ｂ】本発明の好適な実施の形態における可動式タッチコントロールモジュールの部分組立図である。
【図５】本発明の好適な実施の形態における可動式タッチコントロールモジュールの回転する状態を示した図である。
【発明を実施するための形態】
【００１２】
以下、図を参照しながら、本発明の好適な実施の形態について説明する。図１、図２及び図３を同時に見ながら説明する。図１は、本発明の好適な実施の形態における電子機器を示した図である。図２は、本発明の好適な実施の形態における電子機器の部分平面図（上から見た図）である。図３は、本発明の好適な実施の形態における電子機器の部分分解図である。本実施の形態において提供する電子機器１は、本体１０及び可動式タッチコントロールモジュール１２を備える。
【００１３】
本実施の形態において、電子機器１はノートパソコンである。しかしながら、本発明はこれに制限されるものではない。その他の実施の形態において、電子機器１は携帯情報端末または映像・音声再生装置等のその他の電子機器でも可能である。
【００１４】
本実施の形態において、可動式タッチコントロールモジュール１２は、本体１０に設置される。本体１０は、ハウジング１００及び回路板１０２及び複数のスプリングパーツ１０４を備える。回路板１０２及びスプリングパーツ１０４は、ハウジング１００に設置される。
可動式タッチコントロールモジュール１２は、第一可動パーツ１２１、第二可動パーツ１２２、タッチコントロールユニット１２０、四個の移動センサー素子１２６、二個の回転センサー素子１２８及び二個のワンタッチスイッチ１２９を備える。
【００１５】
本実施の形態において、第一可動パーツ１２１は、本体１０に設置され、且つ、本体１０に対応して平面上において回転する。ここで、上述の平面は、回路板１０２が存在する平面に設けられる。
しかしながら、本発明はこれに対して何ら制限しない。実際の応用の際には、必要に応じて第一可動パーツ１２１が対応する本体１０の回転可能な平面に設置される。
【００１６】
本実施の形態において、第二可動パーツ１２２は、第一可動パーツ１２１に設置され、且つ、第一可動パーツ１２１に対応して第一方向Ｄ１に沿って移動する。
タッチコントロールユニット１２０は、第二可動パーツ１２２に設置され、且つ、第二可動パーツ１２２に対応して第二方向Ｄ２に沿って移動する。
ここで、第一方向Ｄ１と第二方向Ｄ２とは、第一可動パーツ１２１が本体１０に対応して回転する平面（本実施の形態において、回路板１０２は平面に存在する）に平行であり、且つ、第一方向Ｄ１は第二方向Ｄ２に対して垂直である。
しかしながら、本発明はこれに対して何ら制限しない。実際の応用の際には、必要に応じて、第一方向Ｄ１と第二方向Ｄ２は、その他の角度（例えば、６０度）に設定されることも可能である。
【００１７】
また、本実施の形態において、移動センサー素子１２６、回転センサー素子１２８及びワンタッチスイッチ１２９は、例えば、表面実装技術（surface mount Technology，SMT）によって回路板１０２に固定される。このうち、二個の移動センサー素子１２６は、第一方向Ｄ１に沿って設置され、他の二個の移動センサー素子１２６は、第二方向Ｄ２に沿って設置される。
【００１８】
本実施の形態において、タッチコントロールユニット１２０、第二可動パーツ１２２、第一可動パーツ１２１及び回路板１０２の組立て方向は、第一可動パーツ１２１が本体１０に対応して回転する平面（本実施の形態において、回路板１０２は平面に所在する）に垂直である。
具体的には、タッチコントロールユニット１２０、第二可動パーツ１２２及び第一可動パーツ１２１は、回路板１０２の上方に重ねて設置される。回路板１０２は、例えば、ねじを介してハウジング１００の底部（図示はされない）に固定される。
【００１９】
本実施の形態において、本体１０のハウジング１００は、すなわちノートパソコンの外側のハウジングである。第一可動パーツ１２１、第二可動パーツ１２２及びタッチコントロールユニット１２０は、重ねて、ハウジング１００に設置される。
具体的には、図３に示したように、ハウジング１００は、収納エリア１０００を有する。それ（収納エリア１０００）は、凹陥状を呈する。収納エリア１０００は、第一可動パーツ１２１、第二可動パーツ１２２及びタッチコントロールユニット１２０を収納するために用いられる。
収納エリア１０００内には、第一開口部１００１及び複数の第二開口部１００２が設けられる。
しかしながら、本発明はこれを制限するものではない。その他の実施の形態において、収納エリア１０００内には、一個の開口部を設けることも可能である。
【００２０】
本実施の形態において、第一可動パーツ１２１は、第一開口部１００１の箇所に設置される。第一可動パーツ１２１は、第一開口部１００１を通過して、回路板１０２に存在する平面において回転する。
このうち、第一開口部１００１の形状は、第一可動パーツ１２１の形状に符合し、且つ、第一可動パーツ１２１より大きいことにより、タッチコントロールユニット１２０及び第二可動パーツ１２２の移動が第一可動パーツ１２１に対して影響することを回避するように構成されている。
また、複数のスプリングパーツ１０４は、それぞれ第二開口部１００２の箇所に設けられる。
回路板１０２に固定される二個のワンタッチスイッチ１２９は、それぞれ弟二開口部１００２に突出して、スプリングパーツ１０４の下方に位置する。ここで、本体１０は、四個のスプリングパーツ１０４が設置され、且つ、スプリングパーツ１０４はハウジング１００と一体成型のスプリング片である。
しかしながら、本発明は、特にスプリングパーツ１０４の数量（例えば、二個）及びタイプ（例えば、ばね）を制限しない。
【００２１】
本実施の形態において、タッチコントロールユニット１２０は、二個のワンタッチスイッチ１２９を覆う。これにより、使用者がタッチコントロールユニット１２０の対応する位置を押すことで、対応するワンタッチスイッチ１２９を触発する。また、使用者がタッチコントロールユニット１２０をリーリースすると、ハウジング１００上に設置されたスプリングパーツ１０４によって、タッチコントロールユニット１２０が最初の位置に戻される。
このうち、本発明は、ワンタッチスイッチ１２９の位置に対して何ら制限しない。図２に示したように、二個のワンタッチスイッチ１２９の位置は、例えば、タッチコントロールユニット１２０の左右両側に対応する。二個のワンタッチスイッチ１２９は、現有のノートパソコンのタッチコントロールエリア周囲の左右のクリックボタンに相当する。言い換えれば、本実施の形態が提供する可動式タッチコントロールモジュール１２は、左右のクリックボタン機能を併せ持つということである。
【００２２】
図４Ａ及び図４Ｂは、本発明の好適な実施の形態における可動式タッチコントロールモジュール１２の局部組立て図である。図２、図３、図４Ａ及び図４Ｂを同時に参照しながら説明する。このうち、可動式タッチコントロールモジュール１２の構造をわかりやすく説明するために、図４Ａ及び図４Ｂは、図２中の可動式タッチコントロールモジュール１２を上から見た図を示している。また、図４Ａにおいては、タッチコントロールユニット１２０、第二可動パーツ１２２及び第二方向Ｄ２に沿って設置された二個の移動センサー素子１２６のみが図示されている。図４Ｂにおいては、タッチコントロールユニット１２０、第二可動パーツ１２２、第一可動パーツ１２１及び第一方向Ｄ１に沿って設置された二個の移動センサー素子１２６のみが図示されている。
【００２３】
本実施の形態において、タッチコントロールユニット１２０は矩形を呈する。しかしながら、本発明においてこれを制限しない。実際の応用の際には、必要に応じて異なる形状のタッチコントロールユニット（例えば、円形または楕円形である）が設置されることも可能である。
【００２４】
本実施の形態において、タッチコントロールユニット１２０は、タッチパッドケース１２０１、タッチパッド１２０２及びタッチパッド保護カバー１２０３を備える。
タッチパッド１２０２及びタッチパッド保護カバー１２０３は、タッチパッドケース１２０１内に重ねて設置される。さらに、タッチパッド保護カバー１２０３は、第二可動パーツ１２２に設置される。
具体的には、図４Ａ及び図４Ｂに示したように、タッチパッドケース１２０１は、三個の外に突出した側壁１２０５を有する。さらに、前記側壁上には、複数のストッパー１２０６が設置される。
タッチパッド１２０２及びタッチパッド保護カバー１２０３は、順にタッチパッドケース１２０１上に外側に突出していない側壁の一側からタッチパッドケース１２０１内に装入される。
また、側壁１２０５上のストッパー１２０６は、タッチパッド保護カバー１２０３の凹陥部１２０８に対して止める（係合）作用をすることにより、タッチパッド１２０２及びタッチパッド保護カバー１２０３をタッチパッドケース１２０１内において位置を固定する。
【００２５】
本実施の形態において、タッチパッド１２０２は、フレキシブルフラットケーブル（FFC）を介して電子機器のメインボードまたは回路板に接続されることにより、現有のタッチパッドの機能を実現する。
例えば、タッチパッド１２０２は、使用者の指がタッチパッドケース１２０１上において移動するのを感知して、スクリーン上のポインタの移動をコントロールする。ここでは、タッチパッド保護カバー１２０３が開口部１２０９を有することで、フレキシブルフラットケーブルを通過させることが可能である。しかしながら、本発明はこれに対していかなる制限も行なわない。
【００２６】
本実施の形態において、図４Ａに示したように、タッチパッド保護カバー１２０３の背面には第一接続部１２０４が設けられる。第二可動パーツ１２２は、第二接続部１２２２を有する。
タッチパッド保護カバー１２０３の第一接続部１２０４は、第二方向Ｄ２に沿って移動可能な形式で第二可動パーツ１２２の第二接続部１２２２に接続され、且つ、第一接続部１２０４は第二接続部１２２２に対応して、第一方向Ｄ１に沿って固定される。
このように、タッチコントロールユニット１２０は、第二可動パーツ１２２に対応して、第二方向Ｄ２に沿って移動するのみならず、さらに、第二可動パーツ１２２が第一方向Ｄ１に沿って移動するとき、タッチコントロールユニット１２０を動かして、第一方向Ｄ１に沿って同時に移動する。言い換えれば、使用者がタッチコントロールユニット１２０を操作することで、第二可動パーツ１２２が第一方向Ｄ１に沿って移動するということである。
【００２７】
本実施の形態において、タッチパッド保護カバー１２０３の第一接続部１２０４は突出物であり、第二可動パーツ１２２の第二接続部１２２２は凹槽の形状である。そして、上述の突出物が上述の凹槽中にはまり込む。
しかしながら、本発明は特にこれを制限しない。その他の実施の形態において、タッチパッド保護カバー１２０３の第一接続部１２０４が、例えば凹槽で、第二可動パーツ１２２の第二接続部１２２２が、例えば突出物であることも可能である。あるいは、この第一接続部１２０４を設けず、タッチパッド保護カバー１２０３全体を第二方向Ｄ２に沿って設置し、第二可動パーツ１２２が対応する構造（例えば、凹槽またはスライド）中において移動させることも可能である。
【００２８】
本実施の形態において、図４Ｂに示したように、第二可動パーツ１２２の背面に、第三接続部１２２３が設けられる。
第一可動パーツ１２１は、第四接続部１２１４を有する。第二可動パーツ１２２の第三接続部１２２３は、第一方向Ｄ１に沿って移動可能な形式で、第一可動パーツ１２１の第四接続部１２１４に接続される。さらに、第三接続部１２２３は第四接続部１２１４に対応し、第二方向Ｄ２に沿って固定される。
このように、使用者がタッチコントロールユニット１２０を操作することにより、第二可動パーツ１２２が第一可動パーツ１２１に対応し、第一方向Ｄ１に沿って移動する。さらに、第一可動パーツ１２１が回転するとき、タッチコントロールユニット１２０と第二可動パーツ１２２も動かされて同時に回転する。言い換えれば、使用者がタッチコントロールユニット１２０を操作することにより、第一可動パーツ１２１が回転するということである。これにより、タッチコントロールユニット１２０、第二可動パーツ１２２及び第一可動パーツ１２１は、相互間の移動を実現し、さらに、全体の回転も実現する。
【００２９】
本実施の形態において、第二可動パーツ１２２の第三接続部１２２３は突起物であり、第一可動パーツ１２１の第四接続部１２１４は凹槽である。そして、上述の突起物が上述の凹槽中にはまり込む。
しかしながら、本発明はこれに制限されるものではない。その他の実施の形態において、第二可動パーツ１２２の第三接続部１２２３が、例えば凹槽で、第一可動パーツ１２１の第四接続部１２１４が、例えば突起物であることも可能である。あるいは、この第三接続部１２２３を設けず、第二可動パーツ１２２全体を第一方向Ｄ１に沿って設置し、第一可動パーツ１２１が対応する構造（例えば、凹槽またはスライド）中において移動させることも可能である。
【００３０】
本実施の形態において、図４Ａに示したように、二個の移動センサー素子１２６（１２６2）は、第二方向Ｄ２に沿って第二可動パーツ１２２の第二接続部１２２２の外側に設けられる。図４Ｂに示したように、他の二個の移動センサー素子１２６（１２６1）は、第一方向Ｄ１に沿って、それぞれ第一可動パーツ１２１の第四接続部１２１４の内側に設置される。
【００３１】
本実施の形態において、図４Ｂに示したように、第一可動パーツ１２１は、さらに本体部１２１０及び二個の回転触発部１２１８を有する。回転触発部１２１８は、本体部１２１０の相対する両端に突出する。しかしながら、本発明は、回転触発部１２１８の数量及び設置位置を制限するものではない。また、図２に示したように、二個の回転センサー素子１２８は、それぞれ第一可動パーツ１２１の第二方向Ｄ２に沿った中心線の上方に位置する。
【００３２】
また、本発明は、移動センサー素子１２６と回転センサー素子１２８の設置位置に対して、いかなる制限も行なわない。その他の実施の形態において、移動センサー素子１２６は、第一方向Ｄ１または第二方向Ｄ２に沿って設置されず、一定の角度に偏移することも可能であり、タッチコントロールユニット１２０及び第二可動パーツ１２２の移動の軌跡上に位置すればそれでよい。回転センサー素子１２８も、対角線になるように設置されることも可能であり、第一可動パーツ１２１の回転する軌跡上に位置すればそれでよい。
【００３３】
図５は、本発明の好適な実施の形態における可動式タッチコントロールモジュール１２の回転する状態を示した図である。以下、可動式タッチコントロールモジュール１２の動作の過程について説明する。図２、図４Ａ、図４Ｂ及び図５を同時に参照しながら説明する。
【００３４】
本実施の形態において、図２に示したように、タッチコントロールユニット１２０、第一可動パーツ１２１及び第二可動パーツ１２２は、いずれも最初の位置にある。このとき、タッチコントロールユニット１２０及び第二可動パーツ１２２は、いずれも移動センサー素子１２６に接触せず、第一可動パーツ１２１もまた回転センサー素子１２８に接触しない。
【００３５】
本実施の形態において、使用者がタッチコントロールユニット１２０を操作して、第二方向Ｄ２に沿って移動するとき、タッチコントロールユニット１２０の第一接続部１２０４（突起物）は、第二可動パーツ１２２の第二接続部１２２２（凹槽）内において第二方向Ｄ２に沿って移動して、対応する移動センサー素子１２６（１２６2）を触発する。
【００３６】
具体的には、図２及び図４Ａに示したように、使用者がタッチコントロールユニット１２０を操作して、第二方向Ｄ２上において右に向かって移動すると、タッチコントロールユニット１２０の第一接続部１２０４がその右側にある移動センサー素子１２６（１２６2）を触発し、さらに、電子機器をコントロールして、対応する機能（例えば、図を右に移動したり、ページを先に送ったりする）を実行する。また、本実施の形態において、移動センサー素子１２６は、弾性を有するスイッチである。このため、使用者がタッチコントロールユニット１２０をリリースすると、移動センサー素子１２６（１２６2）が自動的に回復し、同時にタッチコントロールユニット１２０を最初の位置に戻す。しかしながら、本発明はこれに対し制限するものではない。実際の応用の際には、必要に応じて弾性素子を設置して、タッチコントロールユニット１２０を元に戻すのに利用してもよい。
【００３７】
例えば、実際の応用において、ノートパソコンのスクリーン大きさが足りないとき、使用者は、タッチコントロールユニット１２０を右に移動することで、スクリーンの表示画面がコントロールされて対応し、左に移動する。使用者がタッチコントロールユニット１２０をリリースすると、画面は移動を停止し、スクリーンは画面の対応部分を表示する。このように、使用者は、異なる方向に沿ってタッチコントロールユニット１２０を移動させるだけで、迅速に画面を閲覧できるのである。
【００３８】
本実施の形態において、使用者がタッチコントロールユニット１２０を操作して、第一方向Ｄ１に沿って移動すると、タッチコントロールユニット１２０と第二可動パーツ１２２が第一方向Ｄ１上に固定される。このため、タッチコントロールユニット１２０は第二可動パーツ１２２を動かし、第一方向Ｄ１に沿って移動する。このとき、第二可動パーツ１２２の第三接続部１２２３（突起物）は、第一可動パーツ１２１の第四接続部１２１４（凹槽）内において、第一方向Ｄ１に沿って移動して、対応する移動センサー素子１２６（１２６1）を触発する。
【００３９】
具体的には、図２及び図４Ｂに示したように、使用者がタッチコントロールユニット１２０を操作して、第一方向Ｄ１上において、上に向かって移動すると、第二可動パーツ１２２の第三接続部１２２３がその上側の移動センサー素子１２６（１２６1）を触発する。さらに、電子機器をコントロールして、対応する機能（例えば、図を上に移動したり、音量を大きくしたりする）を実行する。また、本実施の形態において、移動センサー素子１２６（１２６1）は、弾性を有するスイッチである。このため、その後、使用者がタッチコントロールユニット１２０をリリースすると、移動センサー素子１２６（１２６1）が自動的に回復し、同時に第二可動パーツ１２２及びタッチコントロールユニット１２０を最初の位置に戻す。
しかしながら、本発明はこれに制限されるものではない。実際の応用の際には、必要に応じて弾性素子を設置して、第二可動パーツ１２２を元に戻すのに用いることも可能である。
【００４０】
本実施の形態において、使用者がタッチコントロールユニット１２０を操作して回転するとき、タッチコントロールユニット１２０、第二可動パーツ１２２及び第一可動パーツ１２１は、全体が共に回転する。このため、タッチコントロールユニット１２０が第一可動パーツ１２１を動かし、回路板１０２に存在する平面上において回転する。
【００４１】
具体的には、本実施の形態において、図５に示したように、使用者がタッチコントロールユニット１２０を時計回りに回転すると、タッチコントロールユニット１２０が第一可動パーツ１２１を動かして、回路板１０２に存在する平面上において時計回りに回転する。このとき、第一可動パーツ１２１の左側の回転触発部１２１８が接触して、その一側の回転センサー素子１２８を触発する。さらに、電子機器をコントロールして、対応する機能（例えば、時計回りに図を回転させたり、あるプログラムを開いたりする）を実行する。ここで、回転センサー素子１２８は、弾性を有するスイッチである。使用者がタッチコントロールユニット１２０をリリースした後、回転センサー素子１２８が自動的に回復し、同時に第一可動パーツ１２１を最初の位置まで押し戻す。
しかしながら、本発明はこれに限られるものではない。実際の応用の際には、回転センサー素子１２８の周囲にばね等の弾性素子を設置して第一可動パーツ１２１を元に戻すのに用いることも可能である。
【００４２】
また、本実施の形態において、可動式タッチコントロールモジュール１２は、左右のクリックボタンの機能も有する。図２に示したように、使用者がタッチコントロールユニット１２０を押すことで、それが覆っているワンタッチスイッチ１２９を触発する。タッチコントロールユニット１２０は、スプリングパーツ１０４の弾性作用によって最初の位置まで戻る。
【００４３】
このように、本実施の形態が提供する可動式タッチコントロールモジュールの第一可動パーツは、本体に対応する平面上において回転し、第二可動パーツは、第一可動パーツに対応し、第一方向に沿って移動する。さらに、タッチコントロールユニットは、第二可動パーツに対応し、第二方向に沿って移動する。
したがって、使用者がタッチコントロールユニットを操作することで、第二方向にそって移動するか、または、第二可動パーツを動かして第一方向に沿って移動して異なる移動センサー素子を触発する。また、使用者は、タッチコントロールユニットを操作することで、第一可動パーツを動かしてこの平面に沿って回転して異なる回転センサー素子を触発することにより、各種機能を実現する。
またさらに、本実施の形態が提供する可動式タッチコントロールモジュールは、左右のクリックボタン機能も併せ持つ。したがって、本実施の形態が提供する可動式タッチコントロールモジュール及びそれを応用した電子機器は、新しいオリジナル設計を提供すると同時に、迅速で効果的な操作方式を提供する。
【００４４】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００４５】
１            電子機器
１０          本体
１００        ハウジング
１０００      収納エリア
１００１      第一開口部
１００２      第二開口部
１０２        回路板
１０４        スプリングパーツ
１２          可動式タッチコントロールモジュール
１２０        タッチコントロールユニット
１２０１      タッチパッドケース
１２０２      タッチパッド
１２０３      タッチパッド保護カバー
１２０４      第一接続部
１２０５      側壁
１２０６      ストッパー
１２０８      凹陥部
１２０９      開口部
１２１        第一可動パーツ
１２１０      本体部
１２１４      第四接続部
１２１８      回転触発部
１２２        第二可動パーツ
１２２２      第二接続部
１２２３      第三接続部
１２６        移動センサー素子
１２８        回転センサー素子
１２９        ワンタッチスイッチ
Ｄ１          第一方向
Ｄ２          第二方向
【図１】
2011227900.tif 000003
【図２】
2011227900.tif 000004
【図３】
2011227900.tif 000005
【図４Ａ】
2011227900.tif 000006
【図４Ｂ】
2011227900.tif 000007
【図５】
2011227900.tif 000008